(57)【特許請求の範囲】
【請求項１】
送信機及び受信機の少なくとも何れかを含む少なくとも１つのベースユニットと、少なくとも１つの安全装置を備えた銃器を有効化及び無効化する電子システムであって、
前記安全装置は、
前記ベースユニットの送信機及び受信機で無線コマンド信号を交換及び処理する送信機及び受信機と、
前記安全装置の送信機及び受信機によって制御され、及び、銃器の発砲を防止するよう操作可能なロッキングメカニズムを作動する作動回路と、
を含み、
前記無線コマンド信号は、前記ベースユニットと前記安全装置との間の第１の所定の距離内で操作可能であり、
前記安全装置は前記安全装置の作動回路に結合された読み出し装置と、銃器のユーザによって身につけられるタグ装置とを更に含み、前記各読み出し装置及び前記タグ装置は、送受信機を含み、
前記読み出し装置及び前記タグ装置は、互いから第２の所定の距離の範囲内にある無線認証信号を交換及び処理し、
前記安全装置が前記タグ装置から前記第２の所定の距離の範囲内に配置されるとき、前記読み出し装置及び前記タグ装置は前記無線認証信号を交換及び処理し、これにより、アドレス読み出し装置は前記作動回路を促してアドレスロッキングモードから前記ロッキングメカニズムを解放し、
前記安全装置及びタグ装置が前記第２の所定の距離よりも離れて存在すると、前記読み出し装置は前記ロッキングメカニズムを作動するよう前記作動回路を促し、これによって前記ロッキングメカニズムは、前記安全装置を装備したし銃器が発砲することを防止することが可能なロッキングモードをとるよう構成された前記読み出し装置及び前記タグ装置であり、
前記安全装置が前記ベースユニットからの前記第１の所定の距離内に配置されるとき、前記ベースユニットの送信機及び受信機並びに前記安全装置の送信機及び受信機は、前記無線コマンド信号を交換し、当該無線コマンド信号は、前記安全装置の送信機及び受信機に対してロッキングメカニズムを作動するよう前記作動回路を促し、これにより銃器が発砲することを防止するロッキングモードをとる前記ロッキングメカニズムをおこさせ、
前記無線コマンド信号が操作可能である範囲内、且つ、ベースユニットの送信機及び受信機並びに安全装置の送信機及び受信機が前記無線コマンド信号を交換及び処理することが可能な、ベースユニットと安全装置との間の前記第１の所定の距離は、前記安全装置を装備した銃器を無効化する必要がある指定エリアをカバーする範囲であり、
前記ベースユニットは前記制定エリア内に配置され、
前記安全装置の送信機及び／又は受信機は前記作動回路に接合され、前記作動回路を制御することにおいて前記読み出し装置をオーバーライドし、前記安全装置が前記無線コマンド信号を操作し得る前記第１の所定の距離内にあるとき、前記ベースユニットの送信機及び／又は受信機並びに安全装置の送信機及び／又は受信機が前記無線コマンド信号を交換及び処理し、これより前記ロッキングメカニズムが、前記安全装置が前記タグ装置から前記第２の所定の距離範囲内に配置されているか否かにかかわらず、そして前記読取り装置が前記作動回路を促して前記ロッキングメカニズムを解放するか否かにかかわらず、前記ロッキングモードをとるように前記ロッキングメカニズムを生じさせ、
前記安全装置及び前記ベースユニットの送信機及び／又は受信機間で交換される無線コマンド信号を操作し得る前記第１の所定の距離は、前記読取り装置と前記タグ装置間で交換される前記無線認証信号を操作し得る前記第２の所定の距離よりも長い、前記電子システム。
【請求項２】
前記第１の所定の距離範囲は０〜１００ｍの間である、請求項１に記載の電子システム。
【請求項３】
前記第１の所定の距離範囲は０〜２００ｍの間である、請求項１に記載の電子システム。
【請求項４】
前記安全装置は銃器に組み込まれ、前記ロッキングメカニズムは前記銃器の発泡メカニズムと協働する、請求項１〜３の何れか１項に記載の電子システム。
【請求項５】
複数の銃器も組み込まれる複数の安全装置を更に含む、請求項１〜４の何れか１項に記載の電子システム。
【請求項６】
前記同一の無線コマンド信号が各安全装置によって処理可能である、請求項５に記載の電子システム。
【請求項７】
前記ベースユニットは複数の無線コマンド信号を処理し、各無線コマンド信号は前記安全装置の一つに対応して固有なものである、請求項６に記載の電子システム。
【請求項８】
前記第２の所定の距離は０〜１ｍの間である、請求項１に記載の電子システム。
【請求項９】
前記無線コマンド信号を操作し得る前記第１の所定の距離は、ビルの区分に匹敵するのに対して、前記無線認証信号を操作し得る前記第２の所定の距離は、ユーザが身につける前記タグ装置の近傍内で０〜１ｍの間である、請求項１に記載の電子システム。
【請求項１０】
前記ベースユニットの送信機及び／又は受信機と、前記安全装置の送信機及び／又は受信機との間の無線通信は、ローカルエリア無線プロトコルを用いて実行される無線周波数（ＲＦ）通信である、請求項１〜９に記載の電子システム。
【請求項１１】
前記ベースユニットの送信機及び／又は受信機と、前記安全装置の送信機及び／又は受信機との間の無線通信は、０〜１００ｍの距離の範囲内で操作し得る、請求項１０に記載の電子システム。
【請求項１２】
前記ベースユニットの送信機及び／又は受信機と、前記安全装置の送信機及び／又は受信機との間の無線通信は、０〜２００ｍの距離の範囲内で操作し得る、請求項１０に記載の電子システム。
【請求項１３】
前記ベースユニットの送信機及び／又は受信機と、前記安全装置の送信機及び／又は受信機との間の無線通信は、０〜１０００ｍの距離の範囲内で操作し得る、請求項１０に記載の電子システム。
【請求項１４】
前記距離は必要に応じて所望の短い距離に調整可能である、請求項１０〜１３の何れか１項に記載の電子システム。
【請求項１５】
前記ローカルエリア無線プロトコルは低データプロトコルであり、その使用はベースユニットの送信機及び／又は受信機と、安全装置の送信機及び／又は受信機との間の無線接続、低パワー接続をあらわす、請求項１０〜１４の何れか１項に記載の電子システム。
【請求項１６】
前記無線周波数は超高ＲＦバンド（３００ＭＨｚ〜３ＧＨｚ）から選択される、請求項１０〜１５の何れか１項に記載の電子システム。
【請求項１７】
前記読取り装置の送信機及び／又は受信機と、前記タグ装置の送信機及び／又は受信機間の無線通信は、０〜１ｍ距離内で操作可能な短距離無線通信プロトコルを用いて実行されるＲＦ通信である、請求項１〜１６の何れか１項に記載の電子システム。
【請求項１８】
前記無線周波数は高ＲＦバンド（３ＭＨｚ〜３０ＭＨｚ）から選択される、請求項１７に記載の電子システム。
【請求項１９】
前記読取り装置及びタグ装置の一つは操作されるバッテリーであり、もう一つは前記読取り装置と前記タグ装置間の無線通信、低パワー接続をあらわす受動素子である、請求項１〜９又は請求項１８の何れか１項に記載の電子システム。
【請求項２０】
前記タグ装置は、リング、ブレスレット、腕時計、カフスに組み込まれる、請求項１〜９又は請求項１８〜１９の何れか１項に記載の電子システム。
【請求項２１】
前記読取り装置と前記タグ装置間で交換される前記無線認証信号はコード化されており、その結果、前記安全装置を装備した銃器は、一致するタグ装置、又は同一コードを共有するタグ装置のグループによって有効化される、請求項１〜９又は請求項１８〜２０の何れか１項に記載の電子システム。
【請求項２２】
前記ロッキングメカニズムにより、ロッキングモードに維持する作動回路６を必要とすることなく、いつでも前記ロッキングモードに残しておくよう調整される、請求項１〜２１の何れか１項に記載の電子システム。
【請求項２３】
前記ロッキングメカニズムにより、ロッキングモードに維持したり又は解放モードにされ、前記作動回路は前記ロックモードと前記解放モードとの間で前記ロッキングメカニズムを切り替えることを必要とするだけを特徴とする、請求項１〜２２の何れか１項に記載の電子システム。
【請求項２４】
前記作動回路は前記ロッキングメカニズムを作動する電子メカニカル要素を含む、請求項１〜２３の何れか１項に記載の電子システム。
【請求項２５】
前記作動回路はソレノイドを含む、請求項２４に記載の電子システム。
【請求項２６】
前記作動回路は電磁気アクチュエータを含む、請求項２４に記載の電子システム。
【請求項２７】
前記ロッキングメカニズム及び前記作動回路は、前記ロッキングメカニズムがロッキングモードになると、前記作動回路によってのみ解放されることができよう構成されている、請求項１〜２６の何れか１項に記載の電子システム。
【請求項２８】
前記ロッキングメカニズムは、銃器の発砲メカニズムを備えたロッキング歯車の内外にある作動回路の影響下で移動可能なピン又はキャッチ部を含む、請求項１〜２７の何れか１項に記載の電子システム。
【請求項２９】
前記タグ装置又は前記読取り装置の一つはマニュアル・ON/OFFスイッチを含み、その結果、前記承認済みユーザによって前記スイッチの有効化があれば、前記第２の所定の距離範囲にある無線認証データをタグ装置又は読取り装置が交換することができる、請求項１〜２８の何れか１項に記載の電子システム。
【発明の詳細な説明】
【技術分野】
【０００１】
本発明は銃器のための安全システムに係わり、特に銃器の動作を可能にする／無効にすることに関する電子システムに関する。
【０００２】
電子的な動作を可能にする／無効にする装置が装備された銃器がすでに知られている。ＥＰ０９１２８７１Ｂ１は、銃器の点火メカニズムを阻止する電子制御のロッキングメカニズムを含む安全性の特徴を有する銃器を記載する。このロッキングメカニズムは、銃器に提供される送受信ユニットと結合する。第２の送受信ユニットが承認済みのユーザに提供される。銃器の送受信ユニットは、コード信号を承認済みユーザの装置と無線で交換し、その結果、承認済みユーザ及び機器一致の識別コードから所定の距離離れた範囲内に銃器が存在するとき、ロッキングメカニズムが解かれる。このようなシステムは、承認済みユーザ以外の何者かによって銃器の使用若しくは誤使用を防止するのに有用である。例えば、犯罪、子供、精神疾患者、又は送受信機を有する認証済みユーザから所定の距離外に銃器がある時の他の誰かの使用等である。しかしながら、これまでの装置は、銃器がすべて一緒に禁止されるという場所や環境下で、認証済みユーザが事故で若しくは意図的に武器を発砲することを阻止することはできなかった。
本発明の目的は、上記課題を未然に防ぐ銃器に関する安全システムの改善をもたらすものである。
【発明の概要】
【０００３】
したがって、本発明は、送信機及び受信機の少なくとも何れかを含む少なくとも１つのベースユニットと、少なくとも１つの安全装置を備えた銃器を有効化及び無効化する電子システムであって、前記安全装置は、前記ベースユニットの送信機及び受信機で無線コマンド信号を交換及び処理する送信機及び受信機と、前記安全装置の送信機及び受信機によって制御され、及び、銃器の発砲を防止するよう操作可能なロッキングメカニズムを作動する作動回路とを含み、前記無線コマンド信号は、前記ベースユニットと前記安全装置との間の所定の距離内で操作可能であり、前記安全装置が前記ベースユニットからの前記所定の距離内に配置されるとき、前記ベースユニットの送信機及び受信機並びに前記安全装置の送信機及び受信機は、前記無線コマンド信号を交換し、当該無線コマンド信号は、前記安全装置の送信機及び受信機に対してロッキングメカニズムを作動するよう前記作動回路を促し、これにより銃器が発砲することを防止するロッキングモードをとる前記ロッキングメカニズムをおこさせる前記電子システムを提供する。
【０００４】
本発明のシステムは、例えば、交番や学校などの銃器の使用が禁止されている指定されたエリア内に安全装置を装備した銃器使用若しくは誤使用を防止する。これを可能にするため、ベースユニットがその指定エリア内に配置され、それによって安全装置を装備した銃器が指定エリアに運び込まれるやいなや、ロッキングメカニズムの使用が有効となり、銃器の点火メカニズムをロックする。これとは反対に、銃器が指定エリア外（つまり、所定の距離範囲外）に持ち出されるやいなやと、ベースユニット及び安全装置はコマンド信号を交換したり且つ処理することを中止し、そして安全装置の送信機及び／又は受信機が作動回路をプロンプトして（促して）、ロッキングメカニズムが解かれるようにする。
【０００５】
好ましくは、コマンド信号が操作可能である範囲内、且つ、ベースユニットの送受信機及び安全装置の送受信機がコマンド信号を交換し処理することが可能な、ベースユニットと安全装置との間の所定の距離範囲というのは、当該指定エリアをカバーする上で充分な範囲である。ここでは、本発明に係るシステムの安全装置を装備した銃器は無効化されることが必要であり、０〜１００ｍ、好ましくは０〜２００ｍの間に存在する。
【０００６】
この安全装置は、ロッキングメカニズムが銃器の点火メカニズムと協働するようにするため、銃器に組み込まれる。理想的には、本発明に係るシステムは、複数の銃器に組み込まれる複数の安全装置を含む。この場合、各安全装置によって同じコマンド信号を処理することが可能である。あるいはまた、ベースユニットは複数のコマンド信号を処理し、各コマンド信号が１つの対応する安全装置にとってユニークなものである。
【０００７】
理想的には、安全装置は、さらに、前記安全装置の作動回路に結合された読み出し装置と、銃器のユーザによって身につけられるタグ装置とを更に含み、前記各読み出し装置及び前記タグ装置は、送受信機を含み、前記読み出し装置及び前記タグ装置は、互いから所定の距離の範囲内にある無線認証信号を交換及び処理し、前記安全装置が前記タグ装置から前記所定の距離の範囲内に配置されるとき、前記読み出し装置及び前記タグ装置は前記無線認証信号を交換及び処理し、これにより、アドレス読み出し装置は前記作動回路を促してアドレスロッキングモードから前記ロッキングメカニズムを解放することを含む。
【０００８】
安全装置及びタグ装置が上記所定の距離よりも大きく離れていることによって分離されると、読取り装置は作動回路をプロンプトして（促し）、ロッキングメカニズムを有効化し、ロッキングメカニズムにより、安全装置を装備した銃器が発砲されること防止する能力があるロッキングモードをとるようにする。安全装置及びタグ装置の理想的な所定の距離範囲は０〜１ｍの間である。本発明に係るシステムの上述した特徴は、認証済みユーザがベースユニットの送受信機のコマンド信号を操作し得る所定の距離外にいるときの銃器の使い易さをさらに制限することにある。その結果、銃器は、認証済みユーザのみ、すなわちタグ装置を身につけている人及びこのタグ装置を身につけている認証済みユーザのすぐ近辺のエリア内の場合のみで使用される。
【０００９】
好都合なことに、本発明に係るシステムにおいて、安全装置の送受信機は、作動回路をコントロールすることにおいて読取り装置をオーバーライドできるように、作動回路と結合されている。したがって、安全装置がコマンド信号を操作し得る所定の距離外にいるとき、ベースユニットの送受信機及び安全装置の送受信機はコマンド信号を交換して処理し、これにより、安全装置の送受信機は作動回路をプロンプトして（促し）、ロッキングメカニズムを有効化し、ロッキングメカニズムにより、安全装置がタグ装置から所定の距離範囲内に配置されているか否かにかかわらず、ロッキングモードをとるようにして、そして読取り装置がロッキングメカニズムを解くように作動回路をプロンプトする。この実施例によって、タグ装置を身につけた人であって安全装置を装備した有効化された銃器を運搬する承認済みのこの人が、銃器も使用が禁止された指定エリアに入るとき、安全装置の送受信機は、読取り装置のコマンドをオーバーライドし、及び作動回路をプロンプトしてロッキングメカニズムをロッキングモードへと有効化（アクチュエート）する。これによって、銃器はロックされることになる。
【００１０】
安全装置の送受信機とベースユニットの送受信機間で交換されるコマンド信号を操作し得る所定の距離は、読取り装置とタグ装置間で交換される認証信号を操作し得る所定の距離よりも遙かに（例えば、１０倍）長いものである。より詳細に言えば、コマンド信号を操作し得る所定の距離は、ビルの区分に匹敵する（例えば、約１０〜１００ｍ）。これに対して、認証信号を操作し得る所定の距離は、ユーザが身につけるタグ装置のすぐ近傍内という程度のもので、このましくは０〜１ｍの間である。
【００１１】
好ましくは、ベースユニットの送受信機と安全装置の送受信機との間の無線通信は、０〜１００ｍの距離（好ましくは、０〜１００ｍ、又は０〜１０００ｍ、この距離は必要に応じて所望の短い距離に調整可能である）の範囲内で操作し得るローカルエリア無線プロトコルを用いて実行される無線周波数（ＲＦ）通信である。理想的には、ローカルエリア無線プロトコルは低データプロトコルであり、その使用はベースユニットの送受信機と安全装置の送受信機との間の無線接続、低パワー接続をあらわす。好ましくは、無線周波数は超高ＲＦバンド（３００ＭＨｚ〜３ＧＨｚ）から選択される。
【００１２】
好ましくは、読取り装置の送受信機とタグ装置の送受信機間の無線通信は、０〜１ｍ距離内で操作可能な短距離無線通信プロトコルを用いて実行されるＲＦ通信である。好ましくは、無線周波数は高ＲＦバンド（３ＭＨｚ〜３０ＭＨｚ）から選択される。理想的には、読取り装置及びタグ装置の一つは、操作されるバッテリーであり、もう一つは読取り装置の送受信機とタグ装置の送受信機間の無線通信、低パワー接続をあらわす受動素子である。
【００１３】
タグ装置は、例えば、リング、ブレスレット、腕時計、カフスなどに組み込まれる。
【００１４】
読取り装置の送受信機とタグ装置の送受信機間で、及びベースユニットの送受信機と安全装置の送受信機間で交換される信号は、コード化又は非コード化の何れか一方とすることができる。しかしながら、好ましい実施例において、読取り装置とタグ装置間で交換される認証信号はコード化されており、その結果、本発明の安全装置を装備した銃器は、一致するタグ装置、又は同一コードを共有するタグ装置のグループによって有効化されるのである。
【００１５】
一つの好ましい実施例において、ロッキングメカニズムにより、ロッキングモードに維持する作動回路を必要とすることなく、いつでもロッキングモードに残しておくよう調整される。理想的には、作動回路はロックモードと解放モードとの間でロッキングメカニズムを切り替えることを必要とするだけである。これにより、ロッキングメカニズムを操作するのに要求されるパワーを最小化する。一つの好ましい実施例において、作動回路は例えば、ソレノイド又はロッキングメカニズムを有効化するための電磁気アクチュエータなどの電子メカニカル要素を含む。好ましくは、ロッキングメカニズムがロッキングモードになると、作動回路によってのみ解放されることができる。一実施例において、ロッキングメカニズムは、銃器の発砲メカニズムによりロッキング歯車の内外にある作動回路の影響下で移動可能なピン若しくはキャッチ部を含む。
【００１６】
さらに安全な特徴として、タグ装置又は読取り装置の一つはマニュアル・ON/OFFスイッチを含み、その結果、承認済みユーザによってスイッチの有効化があれば、所定の距離範囲にある承認データをタグ装置又は読取り装置が交換することができる。
【００１７】
本発明に従い、銃器を可能にする／無効にする電子システムの例示の目的として示す添付の図面を参照しながら本発明を以下に述べる。
【図面の簡単な説明】
【００１８】
【図１】図１は、本発明に従ったシステムの全体図である。
【図２】図２は、本発明に係るシステムのベースユニットの斜視図である。
【図３】図３は、本発明に従った安全装置を装備した銃器の全体図である。
【図４】図４は、本発明に係るシステムの更なる安全性の特徴を示す全体図である。
【発明を実施するための形態】
【００１９】
図１〜３を参照すると、本発明の銃器を可能にする／無効にする電子システムは、送機及び／又は受信機（以下、「送受信機」とする）２とアンテナ３とを含む少なくとも１つのベースユニット１を含む。
【００２０】
ベースユニット１は、図３の符号４で示される安全装置と協働して機能する。安全装置４は銃器７に組み入れて示されており、ベースユニット１の送受信機２により無線コマンド信号を交換し処理する送受信機５を含む。安全装置４は、さらに安全装置４によりコントロールされた作動回路６を含む。作動回路６は、ロッキングメカニズム８を有効化（アクチュエートする）ようになっており、このロッキングメカニズム８は、銃器７を無効化又は有効にそれぞれするために、銃器７のトリガー７ａをロック及びアンロックする。
【００２１】
無線コマンド信号９は、ベースユニット１と安全装置４との間の所定の距離内で操作可能である。したがって、安全装置４を装備した銃器７がベースユニット１から所定距離内に配置されているとき、ベースユニット１及び安全装置４の送受信機（２，５）は無線コマンド信号９を交換し、これにより、安全装置４の送受信機５にロッキングメカニズム８を有効化するための作動回路６をプロンプトさせることを生じさせ、かつ、ロッキングメカニズム８にトリガー７ａをロックして銃器７を発砲させないようにするロッキングモードをとることを生じさせる。
【００２２】
本発明に係るシステムは、図１の点線１１によって描画して定義した指定エリア１０（例えば交番敷地や学校敷地など銃器の使用が禁止されている）の範囲内では、安全装置４を装備した銃器７の使用又は誤使用を防止する。これを可能にするため、ベースユニット１は、指定エリア１０（例えばビル１２内部）に配置される。安全装置を装備した銃器７が指定エリア１０内に持ち込まれるやいなや、ベースユニット１及び安全装置４の送受信機（２，５）は無線コマンド信号９を交換してロッキングメカニズム８を有効化し、これにより銃器７の発砲メカニズムをロックする。これとは反対に、銃器が指定エリア１０外（つまり、所定の距離範囲外）に持ち出されるやいなや、ベースユニット及び安全装置はコマンド信号９を交換したり且つ処理することを中止し、そして安全装置４の送受信機によって作動回路６をプロンプトして（促して）、ロッキングメカニズム８が解かれる（アンロックされる）ようにする。
【００２３】
コマンド信号９が操作可能である範囲内、且つ、ベースユニット１の送受信機２及び安全装置４の送受信機５がコマンド信号９を交換し処理することが可能な、ベースユニット１と安全装置４との間の所定の距離範囲というのは、当該指定エリア１０をカバーする上で充分な範囲である。ここでは、本発明に係るシステムの安全装置４を装備した銃器７が無効化されることが必要であり、好ましくは０〜１００ｍ又は０〜２００ｍの間に存在する。
【００２４】
本発明のシステムが複数の銃器７に組み込まれた複数の安全装置４を含む場合、同じコマンド信号９が各安全装置４により処理可能であることが好ましい。あるいはまた、ベースユニット１は、安全装置４のそれぞれ１つに特有（ユニーク）な複数のコマンド信号を処理できるようになっている。
【００２５】
図４に示すとおり、本発明に係るシステムの好ましい実施例において、安全装置４は更に読取り装置１５を含み、これは安全装置４の作動回路６及び銃器７のユーザによって身につけられるタグ装置１６に結合される。読取り装置１５及びタグ装置１６のそれぞれは、送信機と受信機（不図示）を含み、それらは互いから所定の距離範囲内にある無線認証信号２０を交換し処理する。したがって、読取り装置１５を有する安全装置４を装備した銃器７は、タグ装置１６から所定の距離範囲内に配置され、そして読取り装置１５及びタグ装置１６は、無線認証信号２０を交換し処理する。これにより、読取り装置１５は、作動回路６がロッキングモードからロッキングメカニズム８を解放して銃器７を有効にすることを促す。
【００２６】
安全装置４及びタグ装置１６が所定の距離よりも大きくはなれるやいなや、読取り装置１５は作動回路に対してロッキングメカニズム８を有効にするよう促し、ロッキングメッセージ８がロッキングモードとなるよう、そして銃器７を無効化することを生じさせる。読取り装置１５とタグ装置１６が認証信号２０を交換し処理する所定の範囲の距離とは、０〜１ｍの間である。よって、本発明のシステムは銃器７の使用可能性を制限する。このとき、銃器７の承認済みのユーザは、指定エリア１０の外、すなわちベースユニット１の送受信機２のコマンド信号を操作し得る所定の距離外にいる。したがって、銃器７は承認済みユーザ、すなわちタグ装置１６を身につけている人であったり、タグ装置１６を身につけた承認済みユーザのすぐ近傍内のエリアにいる人によって用いられるだけである。
【００２７】
安全装置４の送受信機５は作動回路６に結合され、その結果、作動回路６をコントロールすることにおいて読み出し装置１５をオーバーライドする。したがって、安全装置４を装備した銃器７は、指定エリア１０内、すなわち、コマンド信号９を操作し得る所定の距離内にあるとき、ベースユニット１の送受信機２及び安全装置４の送受信機５は、コマンド信号９を交換して処理する。その結果、安全装置４の送受信機５は、作動回路６に対してロッキングメカニズム８を有効にすることを促し、これによりロッキングメカニズム８がロッキングモードになるよう、そして安全装置４がタグ装置１６から所定の距離範囲内に配置されているか否か、読取り装置１５が作動回路を促してロッキングメカニズム８を解放するか否かにかかわらず、銃器７を無効化することを生じさせる。このアレンジメントにより、タグ装置１６を身につけた承認済みの人であって、安全装置４を装備した有効な銃器７を運搬するこの人が指定エリア１０に入るとき、安全装置４の送受信機２は読取り装置１５のコマンドをオーバーライドして作動回路を促し、ロッキングメカニズム８をロッキングモードに有効化させて、これにより銃器を無効化させる。
【００２８】
安全装置の送受信機４とベースユニット１の送受信機（２，５）間で交換されるコマンド信号９を操作し得る所定の距離は、読取り装置１５とタグ装置１６間で交換される認証信号２０の所定の距離よりも遙かに（例えば、１０倍）長いものである。より詳細に言えば、コマンド信号９を操作し得る所定の距離は、ビル１２の区分に匹敵する（例えば、約１００ｍ）。これに対して、認証信号２０を操作し得る所定の距離は、ユーザが身につけるタグ装置１６のすぐ近傍内という程度のもので、好ましくは０〜１ｍの間である。
【００２９】
好ましくは、ベースユニット１の送受信機２と安全装置４の送受信機５との間の無線通信は、０〜１００ｍの距離（好ましくは、０〜２００ｍ、又は０〜１０００ｍ、この距離は必要に応じて所望の短い距離に調整可能である）の範囲内で操作し得るローカルエリア無線プロトコルを用いて実行される無線周波数（ＲＦ）通信である。ローカルエリア無線プロトコルは、好ましくは低データプロトコルであり、その使用はベースユニット１の送受信機２と安全装置４の送受信機５との間の無線接続、低パワー接続をあらわす。好ましくは、無線周波数は超高ＲＦバンド（３００ＭＨｚ〜３ＧＨｚ）から選択される。
【００３０】
読取り装置１５の送受信機とタグ装置１６の送受信機間の無線通信は、０〜１ｍ距離内で操作可能な短距離無線通信プロトコルを用いて実行されるＲＦ通信である。好ましくは、無線周波数は高ＲＦバンド（３ＭＨｚ〜３０ＭＨｚ）から選択される。読取り装置１５及びタグ装置１６の一つは操作されるバッテリーであり、もう一つは読取り装置１５とタグ装置１６間の無線通信、低パワー接続をあらわす受動素子である。
【００３１】
タグ装置１６は、例えば、ブレスレット２１にマウントされたり、又はリング、カフス、腕時計などの他の任意の便利な形態で提供される。
【００３２】
読取り装置１５の送受信機とタグ装置１６間で、及びベースユニットの送受信機と安全装置の送受信機間で交換される信号（９，２０）は、コード化又は非コード化の何れか一方とすることができる。好ましくは、読取り装置１５とタグ装置１６間で交換される認証信号２０はコード化されており、その結果、本発明の安全装置４を装備した銃器７は、一致するタグ装置１６、又は同一コードを共有するタグ装置１６のグループによって有効化されるのである。
【００３３】
ロッキングメカニズム８により、ロッキングモードに維持する作動回路６を必要とすることなく、いつでもロッキングモードに残しておくよう調整される。その結果、作動回路６はロックモードと解放モードとの間でロッキングメカニズム８を切り替えることを必要とするだけである。これにより、ロッキングメカニズム８を操作するのに要求されるパワーを最小化する。図示していないが、作動回路６は例えば、ソレノイド又はロッキングメカニズム８を有効化するための電磁気アクチュエータなどの電子メカニカル要素を含む。ロッキングメカニズム８がロッキングモードになると、作動回路６によってのみ解放されることができる。図示していないが、ロッキングメカニズム８は、トリガー７ａをロックし且つアンロックそれぞれするためのトリガー７ａを有するロッキング歯車の内外にある作動回路の影響下で移動可能なピン若しくはキャッチ部を含む。
【００３４】
さらに安全な特徴として、タグ装置１６又は読取り装置１５の一つはマニュアル・ON/OFFスイッチ（不図示）を含み、その結果、承認済みユーザによってスイッチの有効化があれば、所定の距離範囲にある承認データ２０をタグ装置又は読取り装置が交換することができる。
【００３５】
当業者であれば本発明の範囲から逸脱することなく様々な応用及び修正が行なうことができることが理解されるであろう。
【図１】
0005492908.tif 000002
【図２】
0005492908.tif 000003
【図３】
0005492908.tif 000004
【図４】
0005492908.tif 000005